(57)【要約】      （修正有）【課題】移動装置への冷却液の侵入を防止する工作機械を提供する。【解決手段】工作機械は、工具を装着する主軸と、該主軸の下方に配置してあり、水平方向に移動可能な移動台２０と、該移動台の下方に配置してあり、前記移動台の移動を行う移動装置１４、２４と、前記移動台の周面に取り付けてあり、前記移動装置を覆う伸縮可能なカバー２２とを備える。前記移動台及び移動装置の間且つ前記移動装置の周囲に、前記移動装置へ向かう冷却液をせき止める堰４１を設けてある。【選択図】図４
0003216169.tif 000002
【実用新案登録請求の範囲】
【請求項１】
工具を装着する主軸と、該主軸の下方に配置してあり、水平方向に移動可能な移動台と、該移動台の下方に配置してあり、前記移動台の移動を行う移動装置と、前記移動台の周面に取り付けてあり、前記移動装置を覆う伸縮可能なカバーとを備える工作機械において、
前記移動台及び移動装置の間且つ前記移動装置の周囲に、前記移動装置へ向かう冷却液をせき止める堰を設けてあること
を特徴とする工作機械。
【請求項２】
前記移動装置は、
前記移動台に連結するナットと、
該ナットを取り付けた螺子軸と、
該螺子軸の端部を支持する軸受と、
該軸受を支持する支持部と
を有し、
前記堰は前記支持部の上側に設けてあること
を特徴とする請求項１に記載の工作機械。
【請求項３】
前記移動装置はモータを有し、
前記移動台及びモータの間に配置された水平方向に延びるモータカバーを備え、
前記堰は前記モータカバーから上方に突出していること
を特徴とする請求項１又は２に記載の工作機械。
【考案の詳細な説明】
【技術分野】
【０００１】
本考案は、ワークを加工する工作機械に関する。
【背景技術】
【０００２】
従来、工作機械は、工具を装着する主軸と、該主軸の下方に配置したワークを保持するテーブルとを備える。テーブルは前後方向及び左右方向に移動可能である。テーブルは、ワーク加工台と、該ワーク加工台から前側、左側及び右側夫々に突出したテレスコピックカバーとを備える。テレスコピックカバーは、ワーク加工台の下側に配置した移動装置を覆う。ワーク加工台は移動装置によって前後方向及び左右方向に移動する。工作機械はノズルを備え、ワーク加工時にノズルはワークに冷却液を送出する。テレスコピックカバーは、移動装置への冷却液の侵入を防止する。
【先行技術文献】
【特許文献】
【０００３】
【特許文献１】特開２０１７−１４８９１７号公報
【考案の概要】
【考案が解決しようとする課題】
【０００４】
しかし、テレスコピックカバーとワーク加工台との隙間から冷却液が侵入し、移動装置に侵入するおそれがある。
【０００５】
本考案は斯かる事情に鑑みてなされたものであり、移動装置への冷却液の侵入を防止する工作機械を提供することを目的とする。
【課題を解決するための手段】
【０００６】
本考案に係る工作機械は、工具を装着する主軸と、該主軸の下方に配置してあり、水平方向に移動可能な移動台と、該移動台の下方に配置してあり、前記移動台の移動を行う移動装置と、前記移動台の周面に取り付けてあり、前記移動装置を覆う伸縮可能なカバーとを備える工作機械において、前記移動台及び移動装置の間且つ前記移動装置の周囲に、前記移動装置へ向かう冷却液をせき止める堰を設けてあることを特徴とする。
【０００７】
本考案においては、カバーと移動台の隙間から冷却液が侵入した場合、堰が冷却液をせき止める。
【０００８】
本考案に係る工作機械は、前記移動装置は、前記移動台に連結するナットと、該ナットを取り付けた螺子軸と、該螺子軸の端部を支持する軸受と、該軸受を支持する支持部とを有し、前記堰は前記支持部の上側に設けてあることを特徴とする。
【０００９】
本考案においては、軸受を支持する支持部の上側に堰を設け、移動装置への冷却液の移動を妨げる。
【００１０】
本考案に係る工作機械は、前記移動装置はモータを有し、前記移動台及びモータの間に配置された水平方向に延びるモータカバーを備え、前記堰は前記モータカバーから上方に突出していることを特徴とする。
【００１１】
本考案においては、水平方向に延びるモータカバーから上方に堰は突出し、冷却液のせき止めを実現する。
【考案の効果】
【００１２】
本考案に係る工作機械にあっては、カバーと移動台の隙間から冷却液が侵入した場合、堰が冷却液をせき止める。堰は、冷却液の移動装置への移動を妨げ、移動装置への侵入を防止することができる。
【図面の簡単な説明】
【００１３】
【図１】工作機械の斜視図である。
【図２】工作機械の左側面図である。
【図３】工作機械の正面図である。
【図４】モータカバー、第二移動台、第二カバー及び第二移動装置を示す部分拡大縦断面図である。
【図５】第二カバーを取り外した工作機械の前部を示す部分拡大斜視図である。
【図６】モータカバーを示す斜視図である。
【考案を実施するための形態】
【００１４】
以下本考案を実施の形態に係る工作機械を示す図面に基づいて説明する。以下の説明では図に示す上下前後左右を使用する。図１は、工作機械の斜視図、図２は、工作機械の左側面図、図３は、工作機械の正面図である。工作機械は、前後に延びた矩形の基台１を備える。基台１の上面後部に立柱２が設けてある。立柱２の後面に制御装置３が設けてあり、立柱２の前面に主軸ヘッド４が設けてある。主軸ヘッド４は、上下方向に移動可能である。
【００１５】
主軸ヘッド４は上下延びる主軸６を備える。主軸６の下端部に工具を装着する。主軸ヘッド４の上端部には主軸６の回転を行う主軸モータ５が設けてある。立柱２の上下方向中途部に、二つの連結板８を介して工具マガジン７が設けてある。二つの連結板８は立柱２から前方に突出し、左右に並ぶ。二つの連結板８の前端部に工具マガジン７が固定してある。工具マガジン７は、例えばタレット式の工具マガジン７であり、複数の工具を収納する。工具マガジン７は主軸ヘッド４よりも前側に位置する。制御装置３は、工具マガジン７を回転して、工具を所定位置に割り出し、主軸ヘッド４の下降を行い、主軸６に工具を装着する。また主軸ヘッド４の上昇を行い、工具を主軸６から取り外し、工具マガジン７に収納する。
【００１６】
基台１の上面前部にワークを保持する保持装置３０が設けてある。保持装置３０は、第一移動台１０、第一カバー１２、第一移動装置１４、第二移動台２０、第二カバー２２及び第二移動装置２４を備える。図４は、モータカバー４０、第二移動台２０、第二カバー２２及び第二移動装置２４を示す部分拡大縦断面図である。
【００１７】
第二移動装置２４は螺子軸２４ａ及びナット２４ｂを備える。ナット２４ｂはボール（図示略）を介して螺子軸２４ａに取り付けてある。螺子軸２４ａは基台１の上面にて前後方向に延びている。二つの軸受２４ｃが螺子軸２４ａの両端部を夫々支持する。支持部２４ｄが軸受２４ｃを支持する。支持部２４ｄは、基台１に固定してある。
【００１８】
ナット２４ｂの上部に第二移動台２０が設けてある。螺子軸２４ａにはモータ２４ｅ（図４、図５参照）が取り付けてあり、制御装置３はモータ２４ｅを駆動し、ナット２４ｂは前後に移動する。第二移動台２０は平面視矩形状をなし、左右方向に延びている。第二移動台２０の左右側面及び前後側面は、第二移動台２０の周面を構成する。第二移動台２０の前面及び後面は左右に延びる。第二移動台２０の前面及び後面夫々に第二溝２１が設けてある。第二溝２１は左右方向に延び、第二溝２１の下側は開放してある。図４に示す如く、側面視における第二溝２１の断面形状は下側が開口した逆Ｌ形をなす。第二溝２１の底面、即ち第二溝２１の上下方向に延びる面は第二カバー２２を取り付ける取付面２１ａを構成する。
【００１９】
第二カバー２２は、入れ子式に重なる複数のカバー体２３を備える。カバー体２３は、右側面部、左側面部及び上面部を有する。カバー体２３は、前方視にて下面が開口した逆Ｕ形をなす。複数のカバー体２３は、前後方向に伸縮するパンタグラフ部（図示略）によって連結してある。パンタグラフ部はカバー体２３の下側に配してある。
【００２０】
第二移動台２０の前面の第二溝２１に第二カバー２２の最も後側のカバー体２３が取り付けてある。前記最も後側のカバー体２３には取付板２３ｄが設けてある。取付板２３ｄは、前記カバー体２３の後端部から鍔状に突出し、前記取付面２１ａに螺子止めしてある。
【００２１】
第二移動台２０の後面の第二溝２１に第二カバー２２が取り付けてある。この第二カバー２２は、第二移動台２０の前面に取り付けた第二カバー２２と同様な構成を有するので、その詳細な説明を省略する。
【００２２】
図５は、第二カバー２２を取り外した工作機械の前部を示す部分拡大斜視図、図６は、モータカバー４０を示す斜視図である。第二カバー２２の下側にモータカバー４０が設けてある。モータカバー４０はモータ２４ｅの上側を覆う。モータカバー４０は基板４０ａ、右側面板４０ｂ、左側面板４０ｃ、及び延出板４０ｄを備える。基板４０ａは水平方向に延び、前後に長い矩形状をなす。右側面板４０ｂは基板４０ａの右縁から略直角に下方に延びる。左側面板４０ｃは基板４０ａの左縁から斜め左下に延びる。延出板４０ｄは左側面板の下縁から略水平に左方に延びる。螺子軸２４ａに近い基板４０ａの後縁部は、支持部２４ｄの上部と第二移動台２０の間に位置する。前記後縁部は支持部２４ｄよりも螺子軸２４ａ側に突出し、その突出端部が上方に屈曲している。屈曲した部分は堰４１を構成する。堰４１は、螺子軸２４ａの周囲、即ち第二移動装置２４の周囲に配置してあり、螺子軸２４ａの前端の上側に位置する。基板４０ａは支持部２４ｄの上部にねじ止めしてある。
【００２３】
ナット２４ｂが前後に移動した場合、第二移動台２０も前後に移動し、第二カバー２２は前後に伸縮する。第二移動台２０は、螺子軸２４ａ、モータカバー４０及び堰４１の上方を移動する。堰４１は、第二移動台２０及び第二移動装置２４の間且つ第二移動装置２４の周囲に位置する。
【００２４】
第二移動台２０の上面に第一移動装置１４が設けてある。第一移動装置１４は螺子軸及びナット（いずれも図示略）を備える。ナットはボール（図示略）を介して螺子軸に取り付けてある。螺子軸は第二移動台２０の上面にて左右方向に延びている。ナットに第一移動台１０が設けてある。螺子軸にはモータ（図示略）が取り付けてあり、制御装置３はモータを駆動し、ナットは左右に移動する。第一移動台１０は平面視矩形状をなし、左右方向に延びている。第一移動台１０の左右側面及び前後側面は、第一移動台１０の周面を構成する。第一移動台１０の左右側面は前後に延びる。
【００２５】
図２に示す如く、第一移動台１０の左右側面夫々に第一溝１１が設けてある。第一溝１１は前後方向に延び、第一溝１１の下側は開放してある。前方視における第一溝１１の断面形状は下側が開口した逆Ｌ形をなす。第一溝１１の底面、即ち第一溝１１の上下方向に延びる面は第一カバー１２を取り付ける取付面を構成する。
【００２６】
第一カバー１２は、入れ子式に重なる複数のカバー体１３を備える。カバー体１３は、前面部、後面部及び上面部を有する。カバー体１３は、側方視にて下面が開口した逆Ｕ形をなす。複数のカバー体１３は、左右方向に伸縮するパンタグラフ部（図示略）によって連結してある。パンタグラフ部はカバー体１３の下側に配してある。伸縮方向におけるカバー体１３の端部に取付板１３ｄが設けてある。取付板１３ｄは、カバー体１３の端部から上方に突出する。取付板１３ｄは第一溝１１の取付面にねじ止めしてある。ナットが左右に移動した場合、第一移動台１０も左右に移動し、第一カバー１２は左右に伸縮する。
【００２７】
実施の形態に係る工作機械にあっては、取付板２３ｄと取付面２１ａの隙間から冷却液が侵入した場合でも、堰４１が冷却液をせき止める。堰４１は、侵入した冷却液の螺子軸２４ａへの移動を妨げる。図４及び図５の矢印にて示す如く、取付板２３ｄと取付面２１ａの隙間から侵入した冷却液は基板４０ａの上面を右方向に移動して、右側面板４０ｂから落下し、また基板４０ａの上面を左方向に移動し、延出板４０ｄから落下する。落下した冷却液は螺子軸２４ａに付着しない。第二移動装置２４への冷却液の侵入を防止することができる。
【００２８】
また軸受２４ｃを支持する支持部２４ｄの上側に堰４１を設け、第二移動装置２４への冷却液の移動を妨げる。堰４１は水平方向に延びるモータカバー４０の後縁部から上方に突出し、冷却液のせき止めを実現する。
【００２９】
なお第一カバー１２の下側に水平方向に延びる板金を設け、板金の縁部を上方に折り曲げて堰を形成し、第一移動台１０及び第一移動装置１４の間且つ螺子軸の周囲、即ち第一移動装置１４の周囲に堰を配置してもよい。この場合、前記堰は第一移動台１０への冷却液の侵入を防止することができる。
【符号の説明】
【００３０】
１０  第一移動台
１１  第一溝
１２  第一カバー
１３ｄ  取付板
１４  第一移動装置
２０  第二移動台
２１  第二溝
２２  第二カバー
２３ｄ  取付板
２４  第二移動装置
４０  モータカバー
４１  堰
【図１】
0003216169.tif 000003
【図２】
0003216169.tif 000004
【図３】
0003216169.tif 000005
【図４】
0003216169.tif 000006
【図５】
0003216169.tif 000007
【図６】
0003216169.tif 000008